(57)【要約】【課題】ユーザが仕掛けから目を離すことなく、簡単に柄杓の操作が可能な釣り用柄杓ホルダを提供することを課題とするものである。【解決手段】魚釣りで使用する柄杓１を、撒き餌を収容する平面視多角形状の餌バケツ１０に保持させるための釣り用柄杓ホルダ２０であって、餌バケツ１０の外周壁の内側に装着するための装着部２１と、この装着部２１に連続するとともに餌バケツ１０の外周壁に対して内向き突出するホルダ本体２５とを有し、このホルダ本体２５の側部に、餌バケツ１０の外周壁と所定間隔をもって位置し、柄杓１の柄３を挿通可能な開口部２７を有する保持穴２６を設ける。【選択図】図１
2013031392.tif 000002
【特許請求の範囲】
【請求項１】
魚釣りで使用する柄杓を、撒き餌を収容する平面視多角形状の餌バケツに保持させるための釣り用柄杓ホルダであって、
前記餌バケツの外周壁の内側に装着するための装着部と、この装着部に連続するとともに前記餌バケツの外周壁に対して内向き突出するホルダ本体とを有し、このホルダ本体の側部に、前記餌バケツの外周壁と所定間隔をもって位置し、前記柄杓の柄を挿通可能な開口部を有する保持穴を設けたことを特徴とする釣り用柄杓ホルダ。
【請求項２】
前記ホルダ本体を、上側へ所定角度で傾斜して設け、このホルダ本体の下面側に前記柄杓のカップから盛り上がった餌を取り除くことが可能な擦切部を突設したことを特徴とする請求項１に記載の釣り用柄杓ホルダ。
【請求項３】
前記ホルダ本体に、前記餌バケツの外周壁に向けて突出する支持部を設けたことを特徴とする請求項２に記載の釣り用柄杓ホルダ。
【請求項４】
前記支持部は餌ホルダであることを特徴とする請求項３に記載の釣り用柄杓ホルダ。
【請求項５】
前記擦切部を、前記ホルダ本体の突出方向に対して直交方向に延びるように設けるとともに、前記ホルダ本体の突出方向に沿って複数設けたことを特徴とする請求項２乃至請求項４のいずれか１項に記載の釣り用柄杓ホルダ。
【請求項６】
前記装着部は、前記餌バケツの外周壁の一面に所定間隔をもって位置する仕切板部を有し、この仕切板部に餌を除く液体を排出可能な排出穴を設けたことを特徴とする請求項１乃至請求項５のいずれか１項に記載の釣り用柄杓ホルダ。
【発明の詳細な説明】
【技術分野】
【０００１】
本発明は、魚釣りで使用する柄杓を餌バケツから脱落することなく保持させるための釣り用柄杓ホルダに関するものである。
【背景技術】
【０００２】
魚釣りには、海などの水中に撒き餌を投入して行う手法がある。この撒き餌には生オキアミやボイルオキアミなど、種々のものがある。これらの撒き餌は、餌バケツに収容され、柄杓で掬って所定量づつ投入される。また、釣り人は、撒き餌を投入した後には、柄杓を餌バケツに差し込んだ状態で、釣竿を操作して魚を釣る。なお、撒き餌は、仕掛けを海に投入した後に上げるまでの一連の操作中、２，３回行われる。そのため、柄杓の全長は餌バケツの全高より長くして、餌バケツの開口から柄杓のグリップを露出させることにより、操作の利便性が向上されている。
【０００３】
餌バケツの中に多量の撒き餌が収容されている場合には、柄杓を差し込むことにより先端のカップが餌の抵抗で保持される。しかし、餌バケツ中の撒き餌が少なくなった場合には、カップに対する抵抗も少なくなるため、把手側のグリップの重みで柄杓が餌バケツから脱落し、最悪の場合には海に落ちることがある。
【０００４】
そのため、従来では、伸縮可能な螺旋状の樹脂紐を用いて柄杓と餌バケツを連結したり、別体の柄杓ホルダを餌バケツに装着したりしている。なお、特許文献１には、有底筒状の柄杓ホルダを餌バケツの内側に装着する構成が記載されている。また、特許文献２では、柄杓ホルダを餌バケツの外側に装着する構成が記載されている。
【０００５】
しかしながら、柄杓と餌バケツとを樹脂紐で連結すると、柄杓で撒き餌を投入する際に邪魔になるという問題がある。また、特許文献１，２のように柄杓ホルダを使用する場合、柄杓ホルダの位置を目で確認して柄杓を差し込む必要がある。そのため、撒き餌を行う度に仕掛けから目を離す必要があるため、利便性が悪いだけでなく、魚が釣れた瞬間（アタリ）を見逃す可能性がある。
【先行技術文献】
【特許文献】
【０００６】
【特許文献１】特開２００８−２２７４７号公報
【特許文献２】特開２００８−２９３０１号公報
【発明の概要】
【発明が解決しようとする課題】
【０００７】
本発明は、ユーザが仕掛けから目を離すことなく、簡単に柄杓の操作が可能な釣り用柄杓ホルダを提供することを課題とするものである。
【課題を解決するための手段】
【０００８】
前記課題を解決するため、本発明の釣り用柄杓ホルダは、魚釣りで使用する柄杓を、撒き餌を収容する平面視多角形状の餌バケツに保持させるための釣り用柄杓ホルダであって、前記餌バケツの外周壁の内側に装着するための装着部と、この装着部に連続するとともに前記餌バケツの外周壁に対して内向き突出するホルダ本体とを有し、このホルダ本体の側部に、前記餌バケツの外周壁と所定間隔をもって位置し、前記柄杓の柄を挿通可能な開口部を有する保持穴を設けた構成としている。
【０００９】
この柄杓ホルダに柄杓を保持させる際には、柄杓を餌バケツに差し込んだ後、柄を外周壁に沿わせて柄杓ホルダの側へ移動させる。これにより、柄杓の柄が、餌バケツの外周壁と所定間隔をもって位置するホルダ本体の側部の開口部に位置する。そして、柄杓の柄を開口部を通して保持穴内に配置することにより、柄杓ホルダに柄杓を保持させることができる。また、柄杓ホルダから柄杓を取り外す際には、柄杓のグリップを手探りで持ち、開口部を通して柄を保持穴内から離脱させる。そして、餌バケツの外周壁に沿って柄杓ホルダから離れる方向に移動させるだけで、取り外すことができる。
【００１０】
このように、本発明の柄杓ホルダは、餌バケツの外周壁に沿って柄杓の柄を移動させるだけで、簡単に柄杓の取り付けおよび取り外しが可能である。よって、ユーザは、釣りの仕掛けから目を離すことなく、柄杓を操作して撒き餌を行うことができる。よって、使用上の利便性を向上できるうえ、アタリを見逃すことも無い。
【００１１】
この釣り用柄杓ホルダでは、前記ホルダ本体を、上側へ所定角度で傾斜して設け、このホルダ本体の下面側に前記柄杓のカップから盛り上がった餌を取り除くことが可能な擦切部を突設することが好ましい。このようにすれば、柄杓のカップで掬った撒き餌を纏める操作や、余分な撒き餌を取り除く操作を容易に行うことができる。そのため、常に所定量の撒き餌を正確に投入することができる。また、これらの操作を垂直面からなる餌バケツの壁面で行う場合と比較すると、ユーザの手首に加わる負担を軽減できる。
この場合、前記ホルダ本体に、前記餌バケツの外周壁に向けて突出する支持部を設けることが好ましい。このようにすれば、柄杓ホルダの装着状態を安定させることができる。しかも、擦切部によって撒き餌を纏めたり取り除いたりする際に、ホルダ本体の移動を抑制できるため、作業性を向上できる。
また、前記支持部は餌ホルダであることが好ましい。このようにすれば、使用上の利便性を向上できる。
さらに、前記擦切部を、前記ホルダ本体の突出方向に対して直交方向に延びるように設けるとともに、前記ホルダ本体の突出方向に沿って複数設けることが好ましい。
【００１２】
また、前記装着部は、前記餌バケツの外周壁の一面に所定間隔をもって位置する仕切板部を有し、この仕切板部に餌を除く液体を排出可能な排出穴を設けることが好ましい。このようにすれば、柄杓ホルダを装着した側から餌バケツ内の液体だけを排出することができる。よって、餌バケツ内に海水と一緒に収容する必要があるボイルオキアミを撒き餌として使用する場合の利便性を向上できる。
【発明の効果】
【００１３】
本発明の釣り用柄杓ホルダでは、餌バケツの外周壁に沿って柄杓の柄を移動させるだけで、柄杓の取り付けおよび取り外しが可能であるため、釣りの仕掛けから目を離すことなく、撒き餌を行うことができる。よって、使用上の利便性を向上できるうえ、アタリを見逃すことも無い。
【図面の簡単な説明】
【００１４】
【図１】本発明に係る第１実施形態の柄杓ホルダと餌バケツとを示す分解斜視図である。
【図２】柄杓ホルダを餌バケツに装着した状態を示し、（Ａ）は要部平面図、（Ｂ）は要部断面図である。
【図３】（Ａ），（Ｂ），（Ｃ）は柄杓ホルダに対する柄杓の取り付け工程を示す平面図である。
【図４】柄杓の保持状態を示す要部断面図である。
【図５】柄杓ホルダの使用状態の一例を示す要部断面図である。
【図６】第２実施形態の柄杓ホルダと餌バケツとを示す分解斜視図である。
【図７】第２実施形態の柄杓ホルダを餌バケツに装着した状態を示す要部平面図である。
【図８】第３実施形態の柄杓ホルダと餌バケツとを示す分解斜視図である。
【図９】第３実施形態の柄杓ホルダを餌バケツに装着した状態を示す要部断面図である。
【図１０】第４実施形態の柄杓ホルダと餌バケツとを示す分解斜視図である。
【図１１】第４実施形態の柄杓ホルダを餌バケツに装着した状態を示す要部断面図である。
【発明を実施するための形態】
【００１５】
以下、本発明の実施の形態を図面に従って説明する。
【００１６】
（第１実施形態）
図１は、本発明の第１実施形態に係る釣り用柄杓ホルダ（以下「柄杓ホルダ」と略する。）２０を示す。この柄杓ホルダ２０は、ユーザが釣りの仕掛けから目を離すことなく柄杓１の取り付けおよび取り外しを可能とし、かつ、柄杓１による撒き餌の取出量の調整や水量の調整を容易に行えるようにしたものである。
【００１７】
図１および図２（Ａ），（Ｂ）に示すように、餌バケツ１０は、角部を曲面状に面取りした平面視四角形状の有底筒状のものである。この餌バケツ１０は軟質な樹脂からなり、外周壁を構成する各壁面１１Ａ〜１１Ｄの上端には、断面円形状をなすように巻回した補強部１２が設けられている。なお、本実施形態の餌バケツ１０は、対向する壁面１１Ａ，１１Ｃを他の対向する壁面１１Ｂ，１１Ｄより横幅を狭くした平面視長方形状としている。また、図示の餌バケツ１０は、補強部１２を設けた上端に蓋を設けていない構成であるが、蓋を周知の構成で設けたものであってもよい。
【００１８】
この餌バケツ１０には、壁面１１Ａの中央下部に、内部に連通した排水部１３が設けられている。この排水部１３は、餌バケツ１０内に収容した液体（海水）を排出するためのもので、止水用のキャップ１４が着脱可能に取り付けられている。また、壁面１１Ａの内面側には、高さ方向に延びるように一対の装着レール片１５，１５が配設されている。この装着レール片１５は、柄杓ホルダ２０を装着するためのもので、図１にハッチングを付して示すように、壁面１１Ｂ，１１Ｄの側に位置する外側部を貼着代１６としている。
【００１９】
柄杓ホルダ２０は、餌バケツ１０に装着するための装着部２１の上端に、柄杓１を保持するホルダ本体２５を一体的に設けた樹脂製品である。この柄杓ホルダ２０は、餌バケツ１０の壁面１１Ａと装着レール片１５との間に挟み込むように配置することにより、餌バケツ１０の内側に装着される。なお、柄杓ホルダ２０の全高は、餌バケツ１０の全高より低くなるように形成されている。
【００２０】
装着部２１は、餌バケツ１０の壁面１１Ａに対して所定間隔をもって内側に位置するように配置される矩形状の仕切板部２２を備えている。この仕切板部２２の外面側には、餌バケツ１０の壁面１１Ａと装着レール片１５との間に挟み込まれる一対の装着片２３，２３が設けられている。これら装着片２３，２３は、仕切板部２２に沿って高さ方向に延びる平面視Ｌ字形状のものである。これら装着片２３，２３により、仕切板部２２が壁面１１Ａに対して所定間隔をもって内側に位置する。また、仕切板部２２には、高さ方向に延びる複数の排出穴２４が設けられている。この排出穴２４は、餌を除く液体を排出可能な細幅（例えば２ｍｍ）のスリットからなる。
【００２１】
ホルダ本体２５は、装着部２１の上端に連続した外形が略逆台形状をなす板状のものである。このホルダ本体２５は、餌バケツ１０の壁面１１Ａに対して上側内向きに突出するように、所定角度（本実施形態では垂線に対して３０度）で傾斜して設けられている。ホルダ本体２５の両側部間の寸法は、餌バケツ１０の壁面１１Ｂ，１１Ｄ間の寸法より小さい。そして、その壁面１１Ｂ，１１Ｄと所定間隔をもって位置する両側部には保持穴２６，２６が設けられている。これら保持穴２６，２６は、柄杓１の柄３を挿通可能な開口部２７を有する略Ｃ字形状の抜き穴からなる。また、ホルダ本体２５の下面側には、柄杓１のカップ４から盛り上がった餌を取り除くことが可能な擦切部２８が突設されている。この擦切部２８は、ホルダ本体２５の突出方向に対して直交方向に延びる凸条からなる。また、擦切部２８は、ホルダ本体２５の突出方向に沿って所定間隔をもって複数設けられている。
【００２２】
この柄杓ホルダ２０は、一対の装着片２３，２３を餌バケツ１０に配設した装着レール片１５，１５と壁面１１Ａとの間に上側から挿入することにより、餌バケツ１０の内側に配設される。そして、この柄杓ホルダ２０を装着した状態で、餌バケツ１０の内部に撒き餌が収容される。なお、撒き餌がボイルオキアミである場合には、ボイルオキアミの乾燥を防止するために、海水が一緒に収容される。
【００２３】
柄杓ホルダ２０を配設した餌バケツ１０に柄杓１を保持させる場合には、まず、図３（Ａ）に示すように、端部に位置するグリップ２を持って柄３の先端のカップ４を餌バケツ１０の内部に差し込む。その後、柄杓１の柄３が柄杓ホルダ２０を配設した壁面１１Ａに隣接する壁面１１Ｂ，１１Ｄに沿うように位置させ、柄杓ホルダ２０の側へ移動させる。これにより、図３（Ｂ）に示すように、柄杓１の柄３が、餌バケツ１０の壁面１１Ｂ，１１Ｄと所定間隔をもって位置するホルダ本体２５の側部の開口部２７に位置する。そして、柄杓１の柄３を開口部２７を通して保持穴２６内に配置する。これにより、図３（Ｃ）および図４に示すように、柄杓１を餌バケツ１０の内部に差し込んだ状態で、柄杓１を柄杓ホルダ２０に保持させることができる。
【００２４】
また、柄杓１を柄杓ホルダ２０から取り外す際には、柄杓１のグリップ２を手探りで持ち、壁面１１Ｂ，１１Ｄの側へ移動させることにより、開口部２７を通して柄３を保持穴２６内から離脱させる。そして、餌バケツ１０の壁面１１Ｂ，１１Ｄに沿って柄杓ホルダ２０から離れる方向に移動させるだけで、柄杓ホルダ２０から柄杓１を取り外すことができる。
【００２５】
このように、本発明の柄杓ホルダ２０は、餌バケツ１０の外周壁に沿って柄杓１の柄３を移動させるだけで、簡単に柄杓１の取り付けおよび取り外しが可能である。よって、ユーザは、釣りの仕掛けから目を離すことなく、柄杓１を操作して撒き餌を行うことができる。よって、使用上の利便性を向上できるうえ、アタリを見逃すことも無い。しかも、餌バケツ１０内の撒き餌の量に拘わらず、確実に柄杓１を保持させることができる。
【００２６】
また、本実施形態の柄杓ホルダ２０には、ホルダ本体２５の下側面に擦切部２８を設けているため、図５に示すように、ホルダ本体２５の下面に柄杓１のカップ４の開口を当て、ホルダ本体２５の上端に向けて移動させることにより、カップ４から盛り上がった餌を取り除くことができる。余分な撒き餌を取り除き、常に所定量の撒き餌を正確に投入することができる。また、柄杓１のカップ４をホルダ本体２５の下面に下側から押し当てることにより、掬った撒き餌所定の圧縮力で纏めることができる。
【００２７】
なお、これらの擦り切り操作や纏め操作は、従来では餌バケツ１０の垂直に延びる壁面１１Ａ〜１１Ｄを利用して行っていた。この場合、柄杓１の柄３が垂直に延びるように操作する必要があるため、ユーザの手首に加わる負担は非常に大きいものであった。しかし、本発明では、上側内向きに傾斜するホルダ本体２５を設けているため、これらの操作によるユーザの負担を軽減することができる。
【００２８】
一方、餌バケツ１０内の撒き餌が少なくなると、海水の比率の方が大きくなるため、撒き餌であるボイルオキアミを掬うのが困難になる。これは、柄杓１のカップ４に水抜き穴が設けられている場合には顕著である。この場合、餌バケツ１０のキャップ１４を取り外して排水部１３から海水を排出することにより、餌バケツ１０内の海水量を減らす。この際、本実施形態では、仕切板部２２に餌を除く液体だけを排出可能な排出穴２４を設けているため、海水だけを外部に排出することができる。また、海水を減らすために、餌バケツ１０の外周壁やユーザの手が汚れることはないため、使用上の利便性を向上できる。しかも、撒き餌の無駄を削減できる。
【００２９】
（第２実施形態）
図６および図７は第２実施形態の柄杓ホルダ２０を示す。この第２実施形態では、柄杓ホルダ２０を餌バケツ１０のコーナー部分に装着する構成とした点で大きく相違する。また、第２実施形態では、装着部２１とホルダ本体２５とを別体で構成した点でも相違している。
【００３０】
装着部２１は、第１実施形態と同様に、排出穴２４を形成した仕切板部２２を備えている。この仕切板部２２の両側には、仕切板部２２に対して４５度の傾斜角度で延びる側壁部２９，２９が設けられている。これら側壁部２９，２９は、餌バケツ１０の底から上端開口までの全高と略同一寸法で形成されている。そして、側壁部２９，２９の上端には、餌バケツ１０の補強部１２に引っ掛けるフック部３０が設けられている。
【００３１】
ホルダ本体２５は、第１実施形態と同様に、所定角度で上側内向きに傾斜するもので、その両側部には隣接する壁面１１Ａ〜１１Ｄと所定間隔をもって位置する保持穴２６，２６が設けられている。この保持穴２６は、側部を切り欠いて設けたもので、第１実施形態と同様に柄杓１の柄３を挿通可能な開口部２７を有する。また、ホルダ本体２５の下面側には複数の凸条からなる擦切部２８が設けられている。そして、ホルダ本体２５には、仕切板部２２の上端縁に着脱可能に取り付けるための取付部３１が設けられている。この取付部は略逆Ｕ字形状をなし、仕切板部２２の上端を挟み込むようにして取り付けるものである。なお、ホルダ本体２５は、この取付部３１に対して所定角度で傾斜するように設けられている。
【００３２】
この第２実施形態の柄杓ホルダ２０は、仕切板部２２および側壁部２９を餌バケツ１０内に挿入し、側壁部２９の上端のフック部３０を餌バケツ１０の補強部１２に引っ掛けることにより、餌バケツ１０の内側に配設される。そして、第１実施形態と同様に、柄杓ホルダ２０を装着した状態で、餌バケツ１０の内部に撒き餌が収容される。なお、第２実施形態の餌バケツ１０には、キャップ１４によって止水可能な排水部１３、および、柄杓ホルダ２０を装着するための装着レール片１５は、設けられていない。
【００３３】
この柄杓ホルダ２０に柄杓１の取り付けおよび取り外しを行う場合、壁面１１Ａ，１１Ｂに沿って柄杓１の柄３を移動させることにより、第１実施形態と同様の作用および効果を得ることができる。また、この柄杓ホルダ２０を使用して柄杓１のカップ４で掬った撒き餌を調整する場合も、同様の作用および効果を得ることができる。
【００３４】
一方、この第２実施形態では、図７に示すように、柄杓ホルダ２０を餌バケツ１０のコーナー部分に装着するため、仕切板部２２と壁面１１Ａ，１１Ｂとの間には平面視三角形状をなす隙間が形成される。そのため、餌バケツ１０内の撒き餌が少なくなった場合には、柄杓ホルダ２０を配設したコーナーが下側に位置するように餌バケツ１０を傾ける。これにより、第１実施形態と同様に、ユーザの手を汚すことなく海水だけを排出することができる。
【００３５】
（第３実施形態）
図８および図９は第３実施形態の柄杓ホルダ２０を示す。この第３実施形態では、柄杓ホルダ２０の装着構造を変更し、かつ、擦切作業性を向上するための支持部として餌ホルダ３６を設けた点で、各実施形態と相違している。
【００３６】
第３実施形態の餌バケツ１０には、キャップ１４によって止水可能な排水部１３が設けられていない。また、第１実施形態に示す装着レール片１５の代わりに、ＥＶＡ（エチレン酢酸ビニル共重合体）シートからなる装着ベルト部３２が設けられている。この装着ベルト部３２の両外側部は、第１実施形態と同様の貼着代１６となっている。
【００３７】
装着部２１は、全高が低い仕切板部２２を備えている。この仕切板部２２には、各実施形態に示す排出穴２４は形成されていない。仕切板部２２の両側には、餌バケツ１０の壁面１１Ａに当接する当接縁部３３が設けられている。これら当接縁部３３は、装着状態での壁面１１Ａと仕切板部２２との間に、排出穴２４と同様に、餌を除く液体だけを排出可能な幅（排出路）を形成する。
【００３８】
ホルダ本体２５は、第１実施形態と同様に、開口部２７を有する保持穴２６、および、複数の凸条からなる擦切部２８を備えている。そして、本実施形態のホルダ本体２５には、当接縁部３３から一体的に上向きに延びるとともに、ホルダ本体２５の上面に連続する一対の垂直壁部３４，３４と、これら垂直壁部３４，３４間にかけて水平方向に延びるとともに、ホルダ本体２５の上面に連続する水平壁部３５とが設けられている。これら垂直壁部３４，３４および水平壁部３５は、餌バケツ１０の壁面１１Ａ〜１１Ｄに向けて突出する支持部を構成する。また、これら垂直壁部３４，３４および水平壁部３５は、餌バケツ１０の壁面１１Ａに装着されることにより、これらで囲まれた空間が餌ホルダ３６を構成する。
【００３９】
この第３実施形態の柄杓ホルダ２０は、仕切板部２２を装着ベルト部３２と壁面１１Ａとの間に挿入することにより、餌バケツ１０の内側に配設される。そして、この装着状態では、支持部を構成する餌ホルダ３６の端部が壁面１１Ａに当接するため、安定性を向上できる。
【００４０】
そして、この柄杓ホルダ２０を用いて柄杓１の取り付けおよび取り外しを行う場合には、壁面１１Ｂ，１１Ｄに沿って柄杓１の柄３を移動させることにより、各実施形態と同様の作用および効果を得ることができる。また、この柄杓ホルダ２０を使用して柄杓１のカップ４で掬った撒き餌を調整する場合には、支持部を構成する餌ホルダ３６の端部が壁面１１Ａに当接しているため、ホルダ本体２５の移動を抑制でき、作業性を向上できる。しかも、支持部を構成する餌ホルダ３６には、釣り針に仕掛ける餌を収容することができるため、使用上の利便性を向上できる。さらに、当接縁部３３によって壁面１１Ａと仕切板部２２との間に隙間が形成されるため、その隙間から餌バケツ１０内の海水だけを排出することができる。なお、餌バケツ１０には、水平壁部３５によって区画した餌ホルダ３６の下部空間に位置するように、キャップ１４によって止水可能な排水部１３を設けてもよい。
【００４１】
（第４実施形態）
図１０および図１１は第４実施形態の柄杓ホルダ２０を示す。この第４実施形態では、柄杓ホルダ２０の装着構造を変更した点で、第３実施形態と相違している。具体的には、装着ベルト部３２の代わりに、ステンレス製のバネ鋼からなるフック部材３７により柄杓ホルダ２０を餌バケツ１０に装着する構成としている。
【００４２】
フック部材３７は、仕切板部２２からホルダ本体２５の上端にかけた水平方向の寸法と略同一寸法の架設部３７ａを備えている。この架設部３７ａの一端には、ホルダ本体２５の傾斜に沿うように鋭角に屈曲した引掛部３７ｂが設けられている。また、架設部３７ａの他端には、餌バケツ１０の補強部１２を迂回する屈曲部３７ｃが設けられ、この屈曲部３７ｃに壁面１１Ａの外側面に沿って延びる圧接部３７ｄが設けられている。そして、この圧接部３７ｄの下端には、端部が壁面１１Ａに干渉することを防止する非干渉部３７ｅが設けられている。
【００４３】
また、本実施形態のフック部材３７には、架設部３７ａに垂直壁部３４に位置決めするための位置決め部材３８が配設されている。この位置決め部材３８は略逆Ｕ字形状をなし、垂直壁部３４を上方から挟み込むようにして、フック部材３７を柄杓ホルダ２０に位置決めするものである。
【００４４】
このように構成した第４実施形態の柄杓ホルダ２０は、第３実施形態と同様の作用および効果を得ることができる。また、餌バケツ１０には、装着ベルト部３２を配設する必要がないため、使用可能な餌バケツの種類が限定されることはない。
【００４５】
なお、本発明の釣り用柄杓ホルダは、前記実施形態の構成に限定されるものではなく、種々の変更が可能である。
【００４６】
例えば、第１、第３および第４実施形態では、装着部２１をホルダ本体２５と一体に設けたが、第２実施形態のように別体に設けてもよい。逆に、第２実施形態では、装着部２１をホルダ本体２５と別体に設けたが、第１、第３および第４実施形態のように一体に設けてもよい。しかも、装着部２１とホルダ本体２５を別体に設け、これらを溶着など一体化してもよい。
【００４７】
また、装着部２１の構成は、各実施形態の構成に限られず、希望に応じて変更が可能である。さらに、第１および第２実施形態では、排出穴２４を高さ方向に延びるスリットによって構成したが、円形状に貫通した多数の貫通穴によって構成してもよい。さらにまた、前記実施形態では、擦切部２８を複数の凸条により構成したが、多数の突起により構成してもよい。
【符号の説明】
【００４８】
１…柄杓
２…グリップ
３…柄
４…カップ
１０…餌バケツ
１１Ａ〜１１Ｄ…壁面
１５…装着レール片
２０…柄杓ホルダ
２１…装着部
２２…仕切板部
２４…排出穴
２５…ホルダ本体
２６…保持穴
２７…開口部
２８…擦切部
３０…フック部
３２…装着ベルト部
３６…餌ホルダ
３７…フック部材
【図１】
2013031392.tif 000003
【図２】
2013031392.tif 000004
【図３】
2013031392.tif 000005
【図４】
2013031392.tif 000006
【図５】
2013031392.tif 000007
【図６】
2013031392.tif 000008
【図７】
2013031392.tif 000009
【図８】
2013031392.tif 000010
【図９】
2013031392.tif 000011
【図１０】
2013031392.tif 000012
【図１１】
2013031392.tif 000013